(57)【要約】      （修正有）【課題】口腔清掃検査機能を備えた歯ブラシ構造を提供する。【解決手段】口腔清掃検査機能を備えた歯ブラシ構造はグリップ部及びブラシヘッドを備える歯ブラシ１、及びグリップ部中に封鎖するように設置されプラーク照射ユニット２からなり、使用者は歯ブラシ１を利用して歯の清掃を行うことができる他、プラーク照射ユニット２を通して、口腔照明、プラーク、虫歯組織と歯石の検査を行うことができ、口腔清掃及び観察を有効に行う効果を達成できる。【選択図】図２
0003210576.tif 000002
【実用新案登録請求の範囲】
【請求項１】
口腔清掃検査機能を備えた歯ブラシ構造は、歯ブラシ、プラーク照射ユニットを備え、
該歯ブラシは、グリップ部、及び該グリップ部一端に設置されるブラシヘッドを備え、
該プラーク照射ユニットは、該グリップ部中に封鎖するように設置されることを特徴とする口腔清掃検査機能を備えた歯ブラシ構造。
【請求項２】
前記プラーク照射ユニットは、回路基板、該回路基板と連接される少なくとも１個の発光ダイオード、該回路基板と連接される少なくとも１個の電源部、及び該回路基板と連接されるスイッチを備えることを特徴とする請求項１に記載の口腔清掃検査機能を備えた歯ブラシ構造。
【請求項３】
前記発光ダイオードは、該グリップ部の一端に設置され、しかも該発光ダイオードは、波長が２００ｎｍ〜７００ｎｍの光線を発することを特徴とする請求項２に記載の口腔清掃検査機能を備えた歯ブラシ構造。
【請求項４】
前記電源部は、水銀電池であることを特徴とする請求項３に記載の口腔清掃検査機能を備えた歯ブラシ構造。
【請求項５】
前記スイッチは、プッシュスイッチであることを特徴とする請求項２に記載の口腔清掃検査機能を備えた歯ブラシ構造。
【請求項６】
前記プラーク照射ユニットの外側には、防水層をさらに設置る。ことを特徴とする請求項２に記載の口腔清掃検査機能を備えた歯ブラシ構造。
【考案の詳細な説明】
【技術分野】
【０００１】
本考案は口腔清掃検査機能を備えた歯ブラシ構造に関し、特に口腔清掃及び観察に使用される口腔清掃検査機能を備えた歯ブラシ構造に関する。
【背景技術】
【０００２】
一般に人は通常、歯ブラシ、デンタルフロス或いはうがい薬等を使用して口腔の清掃を行う。
中でも、歯ブラシを使用する方式は、最も有効に口腔の清掃を行うことができる。
【０００３】
しかし、従来の手動式或いは電動式歯ブラシは、プラークを清掃する効果しか備えず、使用者にプラークの清掃程度を知らせることはできない。
これに対応するため、口腔内視鏡関連の製品がさまざまに開発されているが、それらの多くは、歯科医が観察し知らせるタイプのものであり、一般の使用者は自身の歯表面のプラークの状況を直接観察することはできない。
よって、実用性が劣るという欠点が存在する。
本考案は、従来の歯ブラシ構造の上記した欠点に鑑みてなされたものである。
【先行技術文献】
【特許文献】
【０００４】
【特許文献１】実用新案登録第３２０１３０７号公報
【考案の概要】
【考案が解決しようとする課題】
【０００５】
本考案が解決しようとする課題は、従来の欠点を確実に解決でき、歯ブラシを利用して歯の清掃を行うことができる他、プラーク照射ユニットを通して、口腔照明、プラーク、虫歯組織と歯石の検査を行うことができ、口腔清掃及び観察を有効に行う効果を達成できる口腔清掃検査機能を備えた歯ブラシ構造を提供することである。
【課題を解決するための手段】
【０００６】
上記課題を解決するため、本考案は下記の口腔清掃検査機能を備えた歯ブラシ構造を提供する。
口腔清掃検査機能を備えた歯ブラシ構造は、グリップ部、及びブラシヘッドを備える歯ブラシ、該グリップ部中に封鎖するように設置されるプラーク照射ユニットを備え、
本考案の一実施形態において、該プラーク(歯垢)照射ユニットは、回路基板、該回路基板と連接される少なくとも１個の発光ダイオード、該回路基板と連接される少なくとも１個の電源部、及び該回路基板と連接されるスイッチを備え、
本考案の一実施形態において、該発光ダイオードは、該グリップ部の一端に設置され、しかも該発光ダイオードは、波長が２００ｎｍ〜７００ｎｍの光線を発し、
本考案の一実施形態において、該電源部は、水銀電池で、
本考案の一実施形態において、該スイッチは、プッシュスイッチで、
本考案の一実施形態において、該プラーク照射ユニットの外側には、防水層をさらに設置する。
【考案の効果】
【０００７】
本考案の口腔清掃検査機能を備えた歯ブラシ構造は、歯ブラシを利用して歯の清掃を行うことができる他、プラーク照射ユニットを通して、口腔照明、プラーク、虫歯組織と歯石の検査を行うことができ、口腔清掃及び観察を有効に行う効果を達成できる。
【図面の簡単な説明】
【０００８】
【図１】本考案の基本構造模式図である。
【図２】本考案の断面状態模式図である。
【考案を実施するための形態】
【０００９】
以下に図面を参照しながら本考案を実施するための最良の形態について詳細に説明する。
【実施例】
【００１０】
図１及び図２は、それぞれ本考案の基本構造模式図及び本考案の断面状態模式図である。
【００１１】
図に示すように、本考案による口腔清掃検査機能を備えた歯ブラシ構造は、少なくとも歯ブラシ１及びプラークを照射するプラーク照射ユニット２により構成される。
【００１２】
該歯ブラシ１は、グリップ部１１、及び該グリップ部１１一端に設置されるブラシヘッド１２を備え、該歯ブラシ１は、一般の手動歯ブラシ或いは電動歯ブラシである。
【００１３】
該プラーク照射ユニット２は、該グリップ部１１中に封鎖するように設置され、しかも該プラーク照射ユニット２は、回路基板２１、該回路基板２１と連接される少なくとも１個の発光ダイオード２２、該回路基板２１と連接される少なくとも１個の電源部２３、及び該回路基板２１と連接されるスイッチ２４を備える。
【００１４】
該発光ダイオード２２は、グリップ部１１の一端に設置され、しかも該発光ダイオード２２は、波長が２００ｎｍ〜７００ｎｍの光線を発射できる。
【００１５】
該電源部２３は、水銀電池で、該スイッチ２４は、プッシュスイッチである。
【００１６】
該プラーク照射ユニット２の外側には、防水層２５をさらに設置する。
【００１７】
使用時には、歯ブラシ１のブラシヘッド１２を利用し、一般の歯磨き方式で歯を清掃にする。
【００１８】
該プラーク照射ユニット２のスイッチ２４を押してオンにすると、該回路基板２１は電源部２３を制御し、必要な電力を発光ダイオード２２に伝送する。
【００１９】
この時、該発光ダイオード２２は、波長が２００ｎｍ〜７００ｎｍの光線を発射し、これにより口腔を照射し、使用者は口腔内側の死角をはっきり見ることができ、口腔検?補助に用いることができる。
【００２０】
該発光ダイオード２２の光源を照射し、口腔照明、プラーク(歯垢)、虫歯組織と歯石の検査と観察を行うことができる。
【００２１】
該プラーク照射ユニット２は、該グリップ部１１中に封鎖するように設置され、しかも該プラーク照射ユニット２には、防水層２５が設置されているため、使用完了後、使用者は一般的な歯ブラシを洗浄する方式で洗浄することができる。
【００２２】
上記を総合すると、本考案による口腔清掃検査機能を備えた歯ブラシ構造は、従来の欠点を確実に解決でき、使用者は歯ブラシを利用して歯の清掃を行うことができる他、プラーク照射ユニットを通して、口腔照明、プラーク、虫歯組織と歯石の検査を行うことができ、口腔清掃及び観察を有効に行う効果を達成できる。
【００２３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２４】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２５】
１  歯ブラシ
１１  グリップ部
１２  ブラシヘッド
２  プラーク照射ユニット
２１  回路基板
２２  発光ダイオード
２３  電源部
２４  スイッチ
２５  防水層
【図１】
0003210576.tif 000003
【図２】
0003210576.tif 000004
【手続補正書】
【提出日】平成29年3月24日(2017.3.24)
【手続補正１】
【補正対象書類名】実用新案登録請求の範囲
【補正対象項目名】全文
【補正方法】変更
【補正の内容】
【実用新案登録請求の範囲】
【請求項１】
口腔清掃検査機能を備えた歯ブラシ構造は、歯ブラシ、プラーク照射ユニットを備え、
該歯ブラシは、グリップ部、及び該グリップ部一端に設置されるブラシヘッドを備え、
該プラーク照射ユニットは、該グリップ部中に封鎖するように設置されることを特徴とする口腔清掃検査機能を備えた歯ブラシ構造。
【請求項２】
前記プラーク照射ユニットは、回路基板、該回路基板と連接される少なくとも１個の発光ダイオード、該回路基板と連接される少なくとも１個の電源部、及び該回路基板と連接されるスイッチを備えることを特徴とする請求項１に記載の口腔清掃検査機能を備えた歯ブラシ構造。
【請求項３】
前記発光ダイオードは、該グリップ部の一端に設置され、しかも該発光ダイオードは、波長が２００ｎｍ〜７００ｎｍの光線を発することを特徴とする請求項２に記載の口腔清掃検査機能を備えた歯ブラシ構造。
【請求項４】
前記電源部は、水銀電池であることを特徴とする請求項３に記載の口腔清掃検査機能を備えた歯ブラシ構造。
【請求項５】
前記スイッチは、プッシュスイッチであることを特徴とする請求項２に記載の口腔清掃検査機能を備えた歯ブラシ構造。
【請求項６】
前記プラーク照射ユニットの外側には、防水層をさらに設置することを特徴とする請求項２に記載の口腔清掃検査機能を備えた歯ブラシ構造。